(57)【要約】      （修正有）【課題】糸及びこの糸で織られた物品が、紫外線防止、防臭、吸湿、及び、電磁波防止の複数の効果を備え、より優れた電磁波防止により、織物製品が健康上の利点を備えることのできる複合式カカオカーボン共役被覆糸の構造を提供する。【解決手段】複合式カカオカーボン共役被覆糸の構造は、詰め物１と、複数のカカオカーボン繊維管２と、少なくとも１つのナノニッケル粒子層３と、外部被覆層４からなる。カカオカーボン繊維管は、炭化プロセスと糸抽出プロセスを経たカカオ豆の殻からなり、詰め物及び複数のカカオカーボン繊維管が相互に組み合わされることで、糸の芯線が形成される。ナノニッケル粒子層は、詰め物（つまり、芯線）の外部を被覆する。外部被覆層は、ナノニッケル粒子層の外部を被覆する。これにより、カカオカーボンは、紫外線防止、防臭、吸湿の効果を備えるとともに、ナノニッケル粒子３１は、電磁波防止の効果を備える。【選択図】図２
0003235344.tif 000002
【実用新案登録請求の範囲】
【請求項１】
詰め物と、複数のカカオカーボン繊維管と、少なくとも１つのナノニッケル粒子層と、
外部被覆層からなる複合式カカオカーボン共役被覆糸の構造であって、
前記複数のカカオカーボン繊維管は、前記詰め物の内部に設けられ、
前記少なくとも１つのナノニッケル粒子層は、前記詰め物の外部を被覆し、
前記外部被覆層は、前記ナノニッケル粒子層の外部を被覆し、
前記詰め物及び前記複数のカカオカーボン繊維管が相互に組み合わされることで、糸の芯線が形成され、前記芯線の表面には、前記ナノニッケル粒子層が設けられ、さらに、前記ナノニッケル粒子層の外部には、前記外部被覆層が設けられることを特徴とする複合式カカオカーボン共役被覆糸の構造。
【請求項２】
前記詰め物は、界面活性剤であることを特徴とする、請求項１に記載の複合式カカオカーボン共役被覆糸の構造。
【請求項３】
前記界面活性剤は、ポリビニルアルコール（ＰＶＡ）であることを特徴とする、請求項２に記載の複合式カカオカーボン共役被覆糸の構造。
【請求項４】
前記界面活性剤は、カチオン性界面活性剤（Ｃｅｔｙｌ  ｔｒｉｍｅｔｈｙｌａｍｍｏｎｉｕｍ  ｂｒｏｍｉｄｅ  、略称ＣＴＡＢ）、ラウリル硫酸ナトリウム（Ｓｏｄｉｕｍ  Ｄｏｄｅｃｙｌ  Ｓｕｌｆａｔｅ、略称ＳＤＳ）、ポリビニルピロリドン（Ｐｏｌｙｖｉｎｙｌｐｙｒｒｏｌｉｄｏｎｅ、略称ＰＶＰ）、３−（トリメトキシシリル）プロピルアクリレート（３−（ｔｒｉｍｅｔｈｏｘｙｓｉｌｙｌ）ｐｒｏｐｙｌ  ｍｅｔｈａｃｒｙｌａｔｅ）、メタンスルホン酸（ＭＳＭＡ、  Ｓｏｄｉｕｍ  Ｈｙｄｒｏｇｅｎ．  Ｍｅｔｈｙｌｓｕｌｆｏｎａｔｅ）、ジベンゾイル−Ｌ−酒石酸（Ｄｉｂｅｎｚｏｙｌ−Ｌ−ｔａｒｔａｒｉｃ  ａｃｉｄ（ＤＢＴＡ））、アミノプロピルトリメトキシシラン（３−ａｍｉｎｏｐｒｏｐｙｌｔｒｉｍｅｔｈｏｘｙ−ｓｉｌａｎｅ、略称ＡＰＴＭＳ）、（３−メルカプトプロピル）トリメトキシシラン（（３−Ｍｅｒｃａｐｔｏｐｒｏｐｙｌ）ｔｒｉｍｅｔｈｏｘｙｓｉｌａｎｅ、略称（ＭＰＴＭＳ））のうちのいずれかであることを特徴とする、請求項２に記載の複合式カカオカーボン共役被覆糸の構造。
【請求項５】
前記カカオカーボン繊維管は、炭化プロセス及び糸抽出プロセスを経たカカオ豆の殻からなることを特徴とする、請求項１に記載の複合式カカオカーボン共役被覆糸の構造。
【請求項６】
前記ナノニッケル粒子層は、複数のナノニッケル粒子を備え、前記複数のナノニッケル粒子と前記複数のカカオカーボン繊維管に含まれるカカオカーボン粒子が反応することで、前記複数のナノニッケル粒子が前記カカオカーボン粒子を還元することを特徴とする、請求項１に記載の複合式カカオカーボン共役被覆糸の構造。
【請求項７】
前記外部被覆層は、高分子プラスチック材料であることを特徴とする、請求項１に記載の複合式カカオカーボン共役被覆糸の構造。
【考案の詳細な説明】
【技術分野】
【０００１】
本考案は、複合式カカオカーボン共役被覆糸の構造に関し、特に、炭化プロセスと糸抽出プロセスによりカカオ豆の殻からカカオカーボン繊維管を形成するとともに、前記複数のカカオカーボン繊維管に詰め物を組み合わせることで、糸の芯線を形成し、詰め物（つまり、芯線）の外部を、ナノニッケル粒子層、外部被覆層で順に被覆して糸構造を構成することで、本考案の糸及びこの糸で織られた物品が、紫外線防止、防臭、吸湿、及び、電磁波防止の複数の効果を備え、より優れた電磁波防止により、糸及びその糸で織られた織物製品が健康上の利点を備える複合式カカオカーボン共役被覆糸の構造に関する。
【背景技術】
【０００２】
衣服等やその他の織物製品は、主に体を温めたり覆ったりするための物であるが、現在の衣服や織物製品等は、単に保温のためだけのものではなく、容姿を美しく見せたり、ファッションセンスを表現したりするために必要なものであると同時に、それが衣服と織物製品が追求する目標でもある。
【０００３】
一般に、衣服や織物製品等は、いずれも普通の糸で織られており、衣服や織物製品等に、滑らかな触感や光沢のある視覚的な質感を出そうとする場合、通常とは異なる糸（例えば、生糸）を使用することで必要な衣服や織物製品等を織ることができる。従って、衣服や織物製品等が異なる効果または機能を備えるようにするためには、異なる種類の糸を使用する必要がある。
【０００４】
注目すべきこととして、現在チョコレートは世界中で生産且つ販売されているが、その製作過程において、カカオのさや、カカオ豆の殻といった多くの廃棄物が生じる。チョコレートから生じる廃棄物が処理されない場合、または、その他の用途に再利用されない場合、非常に深刻な環境汚染物質となってしまう。
【０００５】
従って、チョコレートから生じる廃棄物をいかに有効に再利用することができるかが、技術的な課題となっている。本考案は、カカオのさやとカカオ豆の殻を炭化することで生成される炭化材料を、ナノニッケル粒子と相互に組み合わせることにより、カカオカーボンによって共役被覆された糸構造を製造する。それにより、本考案の糸は、紫外線防止、防臭、吸湿、及び、電磁波防止の複数の効果を備え、解決が望まれる課題を解決する。
【考案の概要】
【考案が解決しようとする課題】
【０００６】
本考案は、詰め物と、複数のカカオカーボン繊維管と、少なくとも１つのナノニッケル粒子層と、外部被覆層からなり、前記複数のカカオカーボン繊維管は詰め物の内部に設けられ、前記カカオカーボン繊維管は、炭化プロセスと糸抽出プロセスを経たカカオ豆の殻から生成することができ、詰め物及び複数のカカオカーボン繊維管を相互に組み合わせることで、糸の芯線を形成し、前記ナノニッケル粒子層は、詰め物（つまり、芯線）の外部を被覆して設けられ、外部被覆層は、ナノニッケル粒子層の外部を被覆して設けられる複合式カカオカーボン共役被覆糸の構造を提供することを目的とする。
【課題を解決するための手段】
【０００７】
本考案の技術的な特徴として、炭化プロセス及び糸抽出プロセスにより、チョコレートから生じる廃棄物（例えば、カカオ豆の殻）からカカオカーボン繊維管を形成し、さらに、複数のカカオカーボン繊維管を詰め物の内部に入れて組み合わせることで、糸の芯線を形成する。さらに、詰め物（つまり、芯線）の外部を、ナノニッケル粒子層と外部被覆層で順に被覆することで、本考案の糸構造が構成される。このように、炭化されたカカオカーボンは、紫外線防止、防臭、吸湿の効果を備えるとともに、ナノニッケル粒子は、電磁波防止の効果を備える。従って、本考案の糸及びその糸によって織られた物品は、紫外線防止、防臭、吸湿、及び、電磁波防止の複数の効果を備え、糸及び糸で織られた織物製品は、より優れた電磁波防止により健康上の利点を備える。
【図面の簡単な説明】
【０００８】
【図１】本考案における複合式カカオカーボン共役被覆糸の構造の斜視図である。
【図２】本考案における複合式カカオカーボン共役被覆糸の構造の部分断面斜視図である。
【図３】本考案の複合式カカオカーボン共役被覆糸の構造における一側辺の切断面図である。
【図４】本考案における複合式カカオカーボン共役被覆糸の構造の部分断面側面図である。
【考案を実施するための形態】
【０００９】
参照する図１、図２、図３、及び、図４に示す通り、本考案が開示する複合式カカオカーボン共役被覆糸の構造は、詰め物１と、複数のカカオカーボン繊維管２と、少なくとも１つのナノニッケル粒子層３と、外部被覆層４からなる。
【００１０】
詰め物１は、ポリビニルアルコール（Ｐｏｌｙｖｉｎｙｌ  ａｌｃｏｈｏｌ、略称ＰＶＡ）、または、その他の界面活性剤、例えば、カチオン性界面活性剤（Ｃｅｔｙｌ  ｔｒｉｍｅｔｈｙｌａｍｍｏｎｉｕｍ  ｂｒｏｍｉｄｅ  、略称ＣＴＡＢ）、ラウリル硫酸ナトリウム（Ｓｏｄｉｕｍ  Ｄｏｄｅｃｙｌ  Ｓｕｌｆａｔｅ、略称ＳＤＳ）、ポリビニルピロリドン（Ｐｏｌｙｖｉｎｙｌｐｙｒｒｏｌｉｄｏｎｅ、略称ＰＶＰ）、３−（トリメトキシシリル）プロピルアクリレート（３−（ｔｒｉｍｅｔｈｏｘｙｓｉｌｙｌ）ｐｒｏｐｙｌ  ｍｅｔｈａｃｒｙｌａｔｅ）、メタンスルホン酸（ＭＳＭＡ、  Ｓｏｄｉｕｍ  Ｈｙｄｒｏｇｅｎ．  Ｍｅｔｈｙｌｓｕｌｆｏｎａｔｅ）、ジベンゾイル−Ｌ−酒石酸（Ｄｉｂｅｎｚｏｙｌ−Ｌ−ｔａｒｔａｒｉｃ  ａｃｉｄ（ＤＢＴＡ））、アミノプロピルトリメトキシシラン（３−ａｍｉｎｏｐｒｏｐｙｌｔｒｉｍｅｔｈｏｘｙ−ｓｉｌａｎｅ、略称ＡＰＴＭＳ）、（３−メルカプトプロピル）トリメトキシシラン（（３−Ｍｅｒｃａｐｔｏｐｒｏｐｙｌ）ｔｒｉｍｅｔｈｏｘｙｓｉｌａｎｅ  、略称（ＭＰＴＭＳ））であることができる。
【００１１】
複数のカカオカーボン繊維管２は、詰め物１の内部に設けられる。前記カカオカーボン繊維管２は、炭化プロセス及び糸抽出プロセスを経た、チョコレートの製造過程で生じる廃棄物（例えば、カカオ豆の殻）からなり、さらに、詰め物１及び複数のカカオカーボン繊維管２が相互に組み合わされることで、糸の芯線が形成される。前記カカオカーボン繊維管２に含まれるカカオカーボン粒子は、酸化還元プロセスによりカカオカーボン粒子の表面が酸化されて、ヒドロキシル基、カルボキシル基、及び、エポキシ基等の酸素を豊富に含む官能基を含む粒状構造を形成することができる。
【００１２】
ナノニッケル粒子層３は、詰め物１（つまり、芯線）の外部を被覆する。前記ナノニッケル粒子層３は、複数のナノニッケル粒子３１を備え、例えば、複数のナノニッケル粒子３１は、カカオカーボン繊維管２に含まれるカカオカーボン粒子と反応することで、ナノニッケル粒子３１はカカオカーボン粒子（つまり、カカオカーボン共役被覆構造）を還元することができる。
【００１３】
外部被覆層４は、ナノニッケル粒子層３の外部を被覆する。前記外部被覆層４は、高分子プラスチック材料、例えば、ＰＥＴ（ポリエチレンテレフタレート）、ＰＡ６（ポリアミド（ＮＹＬＯＮ））、ＰＰ（ポリプロピレン）、ＰＥ（ポリエチレン）、ＡＢＳ（アクリロニトリル−ブタジエン−スチレン共重合体）、ＰＣ（ポリカーボネート）、ＰＶＤＦ（ポリフッ化ビニリデン）、ＰＳ（ポリスチレン）、ＰＥＳ（ポリエーテルサルファイド）、ＰＶＣ（ポリ塩化ビニル）、ＰＡＮ（ポリアクリロニトリル）等の高分子プラスチック材料であることができる。
【００１４】
本考案の技術的な特徴として、炭化プロセス及び糸抽出プロセスによってチョコレートから生じる廃棄物（例えば、カカオ豆の殻）からカカオカーボン繊維管２を形成し、さらに、複数のカカオカーボン繊維管２を詰め物１の内部に入れて組み合わせることで、糸の芯線を形成する。さらに、詰め物１（つまり、芯線）の外部を、ナノニッケル粒子層３と外部被覆層４で順に被覆することで、複合式カカオカーボン共役被覆糸の構造が構成される。このように、カカオカーボンは、紫外線防止、防臭、吸湿の効果を備えるとともに、ナノニッケル粒子は、電磁波防止の効果を備える。本考案の糸及びこの糸で織られた物品は、紫外線防止、防臭、吸湿、及び、電磁波防止の複数の効果を備え、さらに、糸及び糸で織られた織物製品は、より優れた電磁波防止により健康上の利点を備える。
【符号の説明】
【００１５】
１  詰め物  
２  カカオカーボン繊維管  
３  ナノニッケル粒子層  
３１  ナノニッケル粒子  
４  外部被覆層  
【図１】
0003235344.tif 000003
【図２】
0003235344.tif 000004
【図３】
0003235344.tif 000005
【図４】
0003235344.tif 000006